(57)【要約】【課題】ガスタービンを販売するにあたり、その部品が寿命に達した場合に、純正部品と交換することに購入者がメリットを感じることができるような新たなビジネスモデルを実現すること。【解決手段】ガスタービンに掛かる費用の見積を提示する見積提示装置１１０であって、ガスタービンの部品のうち、定期的にメンテナンスを必要とする部品をリース対象部品として、所望のリース期間貸し出すリース契約が締結される場合に、リース対象部品のリース料金を見積もるリース料金見積部１１３と、リース料金見積部１１３が見積もったリース料金を含む、ガスタービンに掛かる費用の見積を提示する見積提示部１１６とを備える。【選択図】図１
2015185052.tif 000002
【特許請求の範囲】
【請求項１】
ガスタービンに掛かる費用の見積を提示する見積提示装置であって、
前記ガスタービンの部品のうち、定期的にメンテナンスを必要とする部品をリース対象部品として、所望のリース期間貸し出すリース契約が締結される場合に、前記リース対象部品のリース料金を見積もるリース料金見積部と、
前記リース料金見積部が見積もったリース料金を含む、前記ガスタービンに掛かる費用の見積を提示する見積提示部と
を備える見積提示装置。
【請求項２】
前記リース料金見積部は、少なくとも、前記リース対象部品の単価と、前記リース対象部品の余寿命期間を示す指標と、所望のリース期間を示す指標とに基づいて、前記リース対象部品のリース料金を見積もる
請求項１に記載の見積提示装置。
【請求項３】
前記所望のリース期間が前記リース対象部品の余寿命期間よりも長いリース契約が締結されて、当該リース期間中に寿命を迎えた当該リース対象部品が同じ価格の新しいリース対象部品に交換されて、当該リース期間が終了する際に当該リース契約が更新される場合、前記リース料金見積部は、少なくとも、交換後の前記リース対象部品の単価と、当該リース契約の更新時における交換後の前記リース対象部品の余寿命期間を示す指標と、更新後の所望のリース期間を示す指標とに基づいて、更新後のリース料金を見積もる
請求項２に記載の見積提示装置。
【請求項４】
前記所望のリース期間が前記リース対象部品の余寿命期間よりも長いリース契約が締結されて、当該リース期間中に寿命を迎えた当該リース対象部品が異なる価格の新しいリース対象部品に交換されて、当該リース期間が終了する際に当該リース契約が更新される場合に、交換前の前記リース対象部品の単価と、更新前のリース期間中における交換前の前記リース対象部品の運転期間を示す指標と、更新前のリース料金とに基づいて、更新後のリース料金に対する値下げ額を算出する値下げ額算出部
を更に備え、
前記所望のリース期間が前記リース対象部品の余寿命期間よりも長いリース契約が締結されて、当該リース期間中に寿命を迎えた当該リース対象部品が異なる価格の新しいリース対象部品に交換されて、当該リース期間が終了する際に当該リース契約が更新される場合、前記リース料金見積部は、少なくとも、交換後の前記リース対象部品の単価と、前記リース対象部品の交換時における交換後の前記リース対象部品の余寿命期間を示す指標と、更新後の所望のリース期間を示す指標と、更新前のリース期間中における交換後の前記リース対象部品の運転期間を示す指標と、前記値下げ額算出部が算出した値下げ額とに基づいて、更新後のリース料金を見積もる
請求項２又は３に記載の見積提示装置。
【請求項５】
前記ガスタービンの部品のうち、前記リース対象部品について、当該リース対象部品をリース契約せずに販売する場合の販売価格を見積もる販売価格見積部
を更に備え、
前記見積提示部は、前記リース料金見積部が見積もったリース料金を含む、前記ガスタービンに掛かる費用の第１の見積と、前記販売価格見積部が見積もった販売価格を含む、前記ガスタービンに掛かる費用の第２の見積とを併せて提示する
請求項１から４のいずれか一項に記載の見積提示装置。
【請求項６】
ガスタービンに掛かる費用の見積を提示する見積提示方法であって、
前記ガスタービンの部品のうち、定期的にメンテナンスを必要とする部品をリース対象部品として、所望のリース期間貸し出すリース契約が締結される場合に、前記リース対象部品のリース料金を見積もるリース料金見積段階と、
前記リース料金見積段階において見積もられたリース料金を含む、前記ガスタービンに掛かる費用の見積を提示する見積提示段階と
を含む見積提示方法。
【請求項７】
ガスタービンに掛かる費用の見積を提示する見積提示装置として、コンピュータを機能させるプログラムであって、
前記コンピュータを、
前記ガスタービンの部品のうち、定期的にメンテナンスを必要とする部品をリース対象部品として、所望のリース期間貸し出すリース契約が締結される場合に、前記リース対象部品のリース料金を見積もるリース料金見積部、
前記リース料金見積部が見積もったリース料金を含む、前記ガスタービンに掛かる費用の見積を提示する見積提示部
として機能させるプログラム。
【請求項８】
ガスタービンに掛かる費用の見積を提示する見積提示装置として、コンピュータを機能させるプログラムを記録した記録媒体であって、
前記コンピュータを、
前記ガスタービンの部品のうち、定期的にメンテナンスを必要とする部品をリース対象部品として、所望のリース期間貸し出すリース契約が締結される場合に、前記リース対象部品のリース料金を見積もるリース料金見積部、
前記リース料金見積部が見積もったリース料金を含む、前記ガスタービンに掛かる費用の見積を提示する見積提示部
として機能させるプログラムを記録した記録媒体。
【発明の詳細な説明】
【技術分野】
【０００１】
本発明は、見積提示装置、見積提示方法、プログラム及び記録媒体に関する。特に、本発明は、ガスタービンに掛かる費用の見積を提示する見積提示装置、見積提示方法、当該見積提示装置としてコンピュータを機能させるプログラム、当該プログラムを記録した記録媒体に関する。
【背景技術】
【０００２】
ガスタービンは、高出力、高効率を実現できるため航空機用ジェットエンジン、小型で機能性の良いガスタービン単体発電、大規模で高効率なコンバインドサイクル発電等に使用され、我々の社会活動を支えている原動機である。
【０００３】
ガスタービンのメーカ各社は、部品寿命管理システムを開発しており、高温部品一品毎に、その運転実績や点検記録、補修記録を一元的にデータベース化し、等価運転時間を評価したうえで、取り替え、補修、廃却の判断を可能としている（例えば、特許文献１参照。）。
【先行技術文献】
【特許文献】
【０００４】
【特許文献１】特開２００２−１８３６０６号公報
【発明の概要】
【発明が解決しようとする課題】
【０００５】
ところで、ガスタービンの部品には、その部品の性能を適正に維持し得る寿命の使用時間が設定されているものがある。このような部品は、実際の使用時間が寿命の使用時間に達した場合、新たな部品と交換することが望まれる。しかしながら、ガスタービンのユーザが、寿命に達した部品を使用し続けたり、純正部品と交換せずに所謂サードパーティーが製造した品質面で劣る類似品と交換したりする場合がある。このように、部品が使用し続けられたり、品質面で劣る類似品と交換されたりすることは、ユーザにとって、所定のガスタービンの性能が得られないばかりか、故障等により、安定した運転の維持が困難になる可能性がある。
【０００６】
そこで、ガスタービンを販売するにあたり、その部品が寿命に達した場合に、純正部品と交換することにユーザがメリットを感じることができるようなビジネスモデルの実現が急務である。
【課題を解決するための手段】
【０００７】
上記課題を解決するために、本発明の第１の形態によると、ガスタービンに掛かる費用の見積を提示する見積提示装置であって、ガスタービンの部品のうち、定期的にメンテナンスを必要とする部品をリース対象部品として、所望のリース期間貸し出すリース契約が締結される場合に、リース対象部品のリース料金を見積もるリース料金見積部と、リース料金見積部が見積もったリース料金を含む、ガスタービンに掛かる費用の見積を提示する見積提示部とを備える。
【０００８】
リース料金見積部は、少なくとも、リース対象部品の単価と、リース対象部品の余寿命期間を示す指標と、所望のリース期間を示す指標とに基づいて、リース対象部品のリース料金を見積もるようにしてもよい。
【０００９】
所望のリース期間がリース対象部品の余寿命期間よりも長いリース契約が締結されて、当該リース期間中に寿命を迎えた当該リース対象部品が同じ価格の新しいリース対象部品に交換されて、当該リース期間が終了する際に当該リース契約が更新される場合、リース料金見積部は、少なくとも、交換後のリース対象部品の単価と、当該リース契約の更新時における交換後のリース対象部品の余寿命期間を示す指標と、更新後の所望のリース期間を示す指標とに基づいて、更新後のリース料金を見積もるようにしてもよい。
【００１０】
所望のリース期間がリース対象部品の余寿命期間よりも長いリース契約が締結されて、当該リース期間中に寿命を迎えた当該リース対象部品が異なる価格の新しいリース対象部品に交換されて、当該リース期間が終了する際に当該リース契約が更新される場合に、交換前のリース対象部品の単価と、更新前のリース期間中における交換前のリース対象部品の運転期間を示す指標と、更新前のリース料金とに基づいて、更新後のリース料金に対する値下げ額を算出する値下げ額算出部を更に備え、所望のリース期間がリース対象部品の余寿命期間よりも長いリース契約が締結されて、当該リース期間中に寿命を迎えた当該リース対象部品が異なる価格の新しいリース対象部品に交換されて、当該リース期間が終了する際に当該リース契約が更新される場合、リース料金見積部は、少なくとも、交換後のリース対象部品の単価と、リース対象部品の交換時における交換後のリース対象部品の余寿命期間を示す指標と、更新後の所望のリース期間を示す指標と、更新前のリース期間中における交換後のリース対象部品の運転期間を示す指標と、値下げ額算出部が算出した値下げ額とに基づいて、更新後のリース料金を見積もるようにしてもよい。
【００１１】
ガスタービンの部品のうち、リース対象部品について、当該リース対象部品をリース契約せずに販売する場合の販売価格を見積もる販売価格見積部を更に備え、見積提示部は、リース料金見積部が見積もったリース料金を含む、ガスタービンに掛かる費用の第１の見積と、販売価格見積部が見積もった販売価格を含む、ガスタービンに掛かる費用の第２の見積とを併せて提示するようにしてもよい。
【００１２】
本発明の第２の形態によると、ガスタービンに掛かる費用の見積を提示する見積提示方法であって、ガスタービンの部品のうち、定期的にメンテナンスを必要とする部品をリース対象部品として、所望のリース期間貸し出すリース契約が締結される場合に、リース対象部品のリース料金を見積もるリース料金見積段階と、リース料金見積段階において見積もられたリース料金を含む、ガスタービンに掛かる費用の見積を提示する見積提示段階とを含む。
【００１３】
本発明の第３の形態によると、ガスタービンに掛かる費用の見積を提示する見積提示装置として、コンピュータを機能させるプログラムであって、コンピュータを、ガスタービンの部品のうち、定期的にメンテナンスを必要とする部品をリース対象部品として、所望のリース期間貸し出すリース契約が締結される場合に、リース対象部品のリース料金を見積もるリース料金見積部、リース料金見積部が見積もったリース料金を含む、ガスタービンに掛かる費用の見積を提示する見積提示部として機能させる。
【００１４】
本発明の第４の形態によると、ガスタービンに掛かる費用の見積を提示する見積提示装置として、コンピュータを機能させるプログラムを記録した記録媒体であって、コンピュータを、ガスタービンの部品のうち、定期的にメンテナンスを必要とする部品をリース対象部品として、所望のリース期間貸し出すリース契約が締結される場合に、リース対象部品のリース料金を見積もるリース料金見積部、リース料金見積部が見積もったリース料金を含む、ガスタービンに掛かる費用の見積を提示する見積提示部として機能させるプログラムを記録した。
【００１５】
なお、上記の発明の概要は、本発明の必要な特徴の全てを列挙したものではない。また、これらの特徴群のサブコンビネーションもまた、発明となり得る。
【発明の効果】
【００１６】
以上の説明から明らかなように、この発明によっては、ガスタービンを販売するにあたり、その部品が寿命に達した場合に、純正部品と交換することに購入者がメリットを感じることができるような新たなビジネスモデルを実現することができる。
【図面の簡単な説明】
【００１７】
【図１】一実施形態に係る見積提示装置１１０のブロック構成の一例を示す図である。
【図２】ガスタービン情報格納部１１７に格納される情報の一例をテーブル形式で示す図である。
【図３】部品情報格納部１１８に格納される情報の一例をテーブル形式で示す図である。
【図４】リース契約情報格納部１１９に格納される情報の一例をテーブル形式で示す図である。
【図５】見積提示装置１１０の動作フローの一例を示す図である。
【図６】ガスタービンを販売する際に、ガスタービンに掛かる費用の見積の申し込みに必要な情報を入力するための表示画面Ｓ１の一例を示す図である。
【図７】見積提示装置１１０の動作フローの他の例を示す図である。
【図８】リース対象部品のリース契約を更新する際に、ガスタービンに掛かる費用の見積の申し込みに必要な情報を入力するための表示画面Ｓ２の一例を示す図である。
【図９】本実施形態に係る見積提示装置１１０を構成するコンピュータ８００のハードウェア構成の一例を示す図である。
【発明を実施するための形態】
【００１８】
以下、発明の実施の形態を通じて本発明を説明するが、以下の実施形態は特許請求の範囲にかかる発明を限定するものではなく、また、実施形態の中で説明されている特徴の組み合わせの全てが発明の解決手段に必須であるとは限らない。
【００１９】
図１は、一実施形態に係る見積提示装置１１０のブロック構成の一例を示す図である。見積提示装置１１０は、ガスタービンに掛かる費用の見積を提示するコンピュータである。ここで、ガスタービンとは、吸入した気体を圧縮機で高圧に圧縮し、これに燃料を注入して燃焼加熱して高温高圧ガスを発生させ、これをタービンに導いてタービンを回転させ、タービンで生じる動力を外部へ取り出す気体エンジンである。また、ガスタービンに掛かる費用の見積とは、ガスタービンの部品のうち、定期的にメンテナンスを必要とする部品をリース対象部品として、所望のリース期間貸し出すリース契約が締結される場合に、リース対象部品のリース料金を含む、ガスタービンに掛かる費用の見積である。
【００２０】
見積提示装置１１０は、入力装置１３０及び出力装置１５０に電気的に接続されている。ここで、入力装置１３０とは、コンピュータにデータや情報、指示等を与えるための装置である。また、出力装置１５０とは、コンピュータからデータや情報を受け取って、人間に認識できる形で提示する装置である。
【００２１】
見積提示装置１１０は、ガスタービンに掛かる費用の見積の申し込みに関する情報を示すデータの入力を入力装置１３０から受け付けると、リース対象部品のリース料金を見積もる。そして、見積提示装置１１０は、見積もったリース料金を含む、ガスタービンに掛かる費用の見積もりを提示するデータを出力装置１５０へ出力する。
【００２２】
なお、本実施形態においては、説明が煩雑になることを防ぐことを目的として、見積提示装置１１０が一の入力装置１３０及び出力装置１５０に電気的に接続されている構成について説明するが、これは一例である。見積提示装置１１０は、複数の入力装置１３０及び出力装置１５０に電気的に接続されていてもよい。
【００２３】
見積提示装置１１０は、見積申込データ入力受付部１１１、リース対象部品特定部１１２、リース料金見積部１１３、値下げ額算出部１１４、販売価格見積部１１５、見積提示部１１６、ガスタービン情報格納部１１７、部品情報格納部１１８及びリース契約情報格納部１１９を備える。以下の説明においては、各構成要素の機能及び動作を詳述する。
【００２４】
見積申込データ入力受付部１１１は、ガスタービンに掛かる費用の見積の申し込みに必要な情報を示すデータの入力を受け付けるモジュールである。
【００２５】
リース対象部品特定部１１２は、ガスタービンの部品のうち、定期的にメンテナンスを必要とする部品をリース対象部品として特定するモジュールである。
【００２６】
リース料金見積部１１３は、ガスタービンの部品のうち、定期的にメンテナンスを必要とする部品をリース対象部品として、所望のリース期間貸し出すリース契約が締結される場合に、リース対象部品のリース料金を見積もるモジュールである。例えば、リース料金見積部１１３は、少なくとも、リース対象部品の単価と、リース対象部品の余寿命期間を示す指標と、所望のリース期間を示す指標とに基づいて、リース対象部品のリース料金を見積もるように構成されていてもよい。また、例えば、所望のリース期間がリース対象部品の余寿命期間よりも長いリース契約が締結されて、そのリース期間中に寿命を迎えたそのリース対象部品が同じ価格の新しいリース対象部品に交換されて、そのリース期間が終了する際にそのリース契約が更新される場合、リース料金見積部１１３は、少なくとも、交換後のリース対象部品の単価と、そのリース契約の更新時における交換後のリース対象部品の余寿命期間を示す指標と、更新後の所望のリース期間を示す指標とに基づいて、更新後のリース料金を見積もるように構成されていてもよい。また、例えば、所望のリース期間がリース対象部品の余寿命期間よりも長いリース契約が締結されて、そのリース期間中に寿命を迎えたそのリース対象部品が異なる価格の新しいリース対象部品に交換されて、そのリース期間が終了する際にそのリース契約が更新される場合、リース料金見積部１１３は、少なくとも、交換後のリース対象部品の単価と、リース対象部品の交換時における交換後のリース対象部品の余寿命期間を示す指標と、更新後の所望のリース期間を示す指標と、更新前のリース期間中における交換後のリース対象部品の運転期間を示す指標と、値下げ額算出部１１４が算出した値下げ額とに基づいて、更新後のリース料金を見積もるように構成されていてもよい。
【００２７】
値下げ額算出部１１４は、所望のリース期間がリース対象部品の余寿命期間よりも長いリース契約が締結されて、そのリース期間中に寿命を迎えたそのリース対象部品が異なる価格の新しいリース対象部品に交換されて、そのリース期間が終了する際にそのリース契約が更新される場合に、交換前のリース対象部品の単価と、更新前のリース期間中における交換前のリース対象部品の運転期間を示す指標と、更新前のリース料金とに基づいて、更新後のリース料金に対する値下げ額を算出するモジュールである。
【００２８】
販売価格見積部１１５は、ガスタービンの部品のうち、リース対象部品について、そのリース対象部品をリース契約せずに販売する場合の販売価格を見積もるモジュールである。
【００２９】
見積提示部１１６は、リース料金見積部１１３が見積もったリース料金を含む、ガスタービンに掛かる費用の見積を提示するモジュールである。例えば、見積提示部１１６は、リース料金見積部１１３が見積もったリース料金を含む、ガスタービンに掛かる費用の第１の見積と、販売価格見積部１１５が見積もった販売価格を含む、ガスタービンに掛かる費用の第２の見積とを併せて提示するように構成されていてもよい。
【００３０】
ガスタービン情報格納部１１７は、複数種類のガスタービンについて、そのガスタービンの部品に関する情報を格納するテーブルである。
【００３１】
部品情報格納部１１８は、ガスタービンの複数種類の部品について、その部品に関する情報を格納するテーブルである。
【００３２】
リース契約情報格納部１１９は、複数のリース契約について、そのリース契約に関する情報を格納するテーブルである。
【００３３】
図２は、ガスタービン情報格納部１１７に格納される情報の一例をテーブル形式で示す図である。ガスタービン情報格納部１１７には、ガスタービンＩＤ（ｉｄｅｎｔｉｆｉｅｒ）、ガスタービンの種類、部品ＩＤ、部品の種類及びリース対象部品？（ＹＥＳ  ｏｒ  ＮＯ）の各情報が対応付けられて格納される。
【００３４】
ガスタービンＩＤの情報は、複数種類のガスタービンについて、そのガスタービンを一意に識別するための識別符号である。
【００３５】
ガスタービンの種類の情報は、ガスタービンＩＤによって識別されるガスタービンの種類を示す情報である。例えば、この例においては、ガスタービンＩＤ：Ｇ０００１によって識別されるガスタービンの種類が、ガスタービンＡであることを示している。
【００３６】
部品ＩＤの情報は、ガスタービンの複数種類の部品について、その部品を一意に識別するための識別符号である。
【００３７】
部品の種類の情報は、ガスタービンＩＤによって識別されるガスタービンの部品であって、部品ＩＤによって識別される部品の種類を示す情報である。例えば、この例においては、ガスタービンＩＤ：Ｇ０００１によって識別されるガスタービンＡの部品であって、部品ＩＤ：Ｐ０００１によって識別される部品の種類が、ケーシングであることを示している。
【００３８】
リース対象部品？（ＹＥＳ  ｏｒ  ＮＯ）の情報は、ガスタービンＩＤによって識別されるガスタービンの部品であって、部品ＩＤによって識別される部品が、リース対象部品であるか否かを示す情報である。例えば、この例においては、ガスタービンＩＤ：Ｇ０００１によって識別されるガスタービンＡの部品であって、部品ＩＤ：Ｐ０００１によって識別されるケーシングが、リース対象部品ではないことを示している。また、この例においては、ガスタービンＩＤ：Ｇ０００１によって識別されるガスタービンＡの部品であって、部品ＩＤ：Ｐ０００２によって識別される静翼が、リース対象部品であることを示している。
【００３９】
これらの各情報は、例えば、定期的にメンテナンスを必要とする部品をリース対象部品として貸し出すガスタービンを販売するときに新規登録されるようにすればよい。
【００４０】
図３は、部品情報格納部１１８に格納される情報の一例をテーブル形式で示す図である。部品情報格納部１１８には、部品ＩＤ、部品の種類、単価（円）、メンテナンス料金（円）及び設計寿命時間（ＥＯＨ）の各情報が対応付けられて格納される。
【００４１】
部品ＩＤの情報は、ガスタービン情報格納部１１７に格納される部品ＩＤの情報と同様の情報である。また、部品の種類の情報は、ガスタービン情報格納部１１７に格納される部品の種類の情報と同様の情報である。
【００４２】
単価（円）の情報は、部品ＩＤによって識別される部品の単価（円）を示す情報である。例えば、この例においては、部品ＩＤ：Ｐ０００１によって識別されるケーシングの単価がＲ１（円）であることを示している。
【００４３】
メンテナンス料金（円）の情報は、部品ＩＤによって識別される部品のメンテナンス料金（円）を示す情報である。例えば、この例においては、部品ＩＤ：Ｐ０００１によって識別されるケーシングのメンテナンス料金が設定されていないことを示している。また、この例においては、部品ＩＤ：Ｐ０００２によって識別される静翼のメンテナンス料金がＭ２（円）であることを示している。
【００４４】
設計寿命時間（ＥＯＨ）の情報は、部品ＩＤによって識別される部品の設計寿命時間を等価運転時間（ＥＯＨ）によって示す情報である。例えば、この例においては、部品ＩＤ：Ｐ０００１によって識別されるケーシングの設計寿命時間（ＥＯＨ）が設定されていないことを示している。また、この例においては、部品ＩＤ：Ｐ０００２によって識別される静翼の設計寿命時間（ＥＯＨ）が７００００（ＥＯＨ）であることを示している。なお、設計寿命時間（ＥＯＨ）が設定されていない部品は、この発明における「リース対象部品」ではない部品の一例である。また、設計寿命時間（ＥＯＨ）が設定されている部品は、この発明における「リース対象部品」の一例である。また、設計寿命時間（ＥＯＨ）は、部品が新品の状態のときの、この発明における「余寿命期間を示す指標」の一例である。
【００４５】
これらの各情報は、例えば、定期的にメンテナンスを必要とする部品をリース対象部品として貸し出すガスタービンを販売するときに新規登録されるようにすればよい。そして、単価（円）の情報は、部品の単価が変更されるときに更新されるようにすればよい。また、設計寿命時間（ＥＯＨ）の情報は、実機の損傷実績を踏まえて随時更新されるようにすればよい。
【００４６】
図４は、リース契約情報格納部１１９に格納される情報の一例をテーブル形式で示す図である。リース契約情報格納部１１９には、契約者ＩＤ、契約者名、リース期間（ＥＯＨ）、旧部品ＩＤ、旧部品の種類、旧部品の単価（円）、旧部品のメンテナンス料金（円）、旧部品のリース料金（円）、旧部品の使用時間（ＥＯＨ）及び交換済み？（ＹＥＳ  ｏｒ  ＮＯ）の各情報が対応付けられて格納される。
【００４７】
契約者ＩＤの情報は、リース対象部品をリース契約している複数の契約者について、その契約者を一意に識別するための識別符号である。
【００４８】
契約者名の情報は、契約者ＩＤによって識別される契約者の名前を示す情報である。例えば、この例においては、契約者ＩＤ：Ｃ０００１によって識別される契約者の名前が山田太郎であることを示している。
【００４９】
リース期間（ＥＯＨ）の情報は、契約者ＩＤによって識別される契約者が契約していたリース期間を等価運転時間（ＥＯＨ）によって示す情報である。例えば、この例においては、契約者ＩＤ：Ｃ０００１によって識別される山田太郎が契約していたリース期間が７００００（ＥＯＨ）であることを示している。
【００５０】
旧部品ＩＤの情報は、契約者ＩＤによって識別される契約者がリース契約時から使用していたリース対象部品について、そのリース対象部品を一意に識別するための識別符号である。
【００５１】
旧部品の種類の情報は、契約者ＩＤによって識別される契約者がリース契約時から使用していたリース対象部品であって、旧部品ＩＤによって識別されるリース対象部品の種類を示す情報である。例えば、この例においては、契約者ＩＤ：Ｃ０００１によって識別される山田太郎がリース契約時から使用していたリース対象部品であって、旧部品ＩＤ：Ｐ０００２によって識別されるリース対象部品の種類が静翼であることを示している。
【００５２】
旧部品の単価（円）の情報は、契約者ＩＤによって識別される契約者がリース契約時から使用していたリース対象部品であって、旧部品ＩＤによって識別されるリース対象部品の単価（円）を示す情報である。例えば、この例においては、契約者ＩＤ：Ｃ０００１によって識別される山田太郎がリース契約時から使用していたリース対象部品であって、旧部品ＩＤ：Ｐ０００２によって識別される静翼の単価がＲ２（円）であることを示している。
【００５３】
旧部品のメンテナンス料金（円）の情報は、契約者ＩＤによって識別される契約者がリース契約時から使用していたリース対象部品であって、旧部品ＩＤによって識別されるリース対象部品のメンテナンス料金（円）を示す情報である。例えば、この例においては、契約者ＩＤ：Ｃ０００１によって識別される山田太郎がリース契約時から使用していたリース対象部品であって、旧部品ＩＤ：Ｐ０００２によって識別される静翼のメンテナンス料金がＭ２（円）であることを示している。
【００５４】
旧部品のリース料金（円）の情報は、契約者ＩＤによって識別される契約者がリース契約時から使用していたリース対象部品であって、旧部品ＩＤによって識別されるリース対象部品のリース料金（円）を示す情報である。例えば、この例においては、契約者ＩＤ：Ｃ０００１によって識別される山田太郎がリース契約時から使用していたリース対象部品であって、旧部品ＩＤ：Ｐ０００２によって識別される静翼のリース料金（円）がＬ２（円）であることを示している。
【００５５】
旧部品の使用時間（ＥＯＨ）の情報は、契約者ＩＤによって識別される契約者がリース契約時から使用していたリース対象部品であって、旧部品ＩＤによって識別されるリース対象部品の使用時間を等価運転時間（ＥＯＨ）によって示す情報である。例えば、この例においては、契約者ＩＤ：Ｃ０００１によって識別される山田太郎がリース契約時から使用していたリース対象部品であって、旧部品ＩＤ：Ｐ０００２によって識別される静翼の使用時間が７００００（ＥＯＨ）であることを示している。なお、旧部品の使用時間（ＥＯＨ）の情報は、この発明における「更新前のリース期間中における交換前のリース対象部品の運転期間を示す指標」の一例である。
【００５６】
交換済み？（ＹＥＳ  ｏｒ  ＮＯ）の情報は、契約者ＩＤによって識別される契約者がリース契約時から使用していたリース対象部品であって、旧部品ＩＤによって識別されるリース対象部品が交換済みであるか否かを示す情報である。例えば、この例においては、契約者ＩＤ：Ｃ０００１によって識別される山田太郎がリース契約時から使用していたリース対象部品であって、旧部品ＩＤ：Ｐ０００２によって識別される静翼が交換済みではないことを示している。また、この例においては、契約者ＩＤ：Ｃ０００１によって識別される山田太郎がリース契約時から使用していたリース対象部品であって、旧部品ＩＤ：Ｐ０００４によって識別される動翼が交換済みであることを示している。
【００５７】
これらの各情報は、例えば、リース契約が締結されたときに新規登録されるようにすればよい。そして、旧部品の使用時間（ＥＯＨ）及び交換済み？（ＹＥＳ  ｏｒ  ＮＯ）の各情報は、そのリース対象部品をリース期間内に交換したとき、又はそのリース対象部品のリース契約を更新する際のリース見積が申し込まれたときに更新されるようにすればよい。例えば、旧部品の使用時間（ＥＯＨ）の情報は、入力装置を介して入力されるようにしてもよいし、ガスタービンの制御装置から出力されたデータが入力されるようにしてもよい。ここで、ガスタービンの制御装置とは、ガスタービンの起動シーケンス制御機能、停止シーケンス制御機能、ロジック制御機能、監視機能、保護機能を備えるコンピュータである。
【００５８】
図５は、見積提示装置１１０の動作フローの一例を示す図である。この動作フローの説明においては、図１から図４を共に参照して、ガスタービンを販売するにあたり、ガスタービンの部品のうち、定期的にメンテナンスを必要とする部品をリース対象部品として、所望のリース期間貸し出すリース契約が締結される場合に、リース対象部品のリース料金を見積もり、そのリース料金を含む、ガスタービンに掛かる費用の見積を提示する処理について詳述する。
【００５９】
例えば、ガスタービンの販売業者は、ガスタービンを販売するにあたり、ガスタービンの部品のうち、定期的にメンテナンスを必要とする部品をリース対象部品として、所望のリース期間貸し出すリース契約を締結する場合、そのリース対象部品のリース料金の見積を含む、ガスタービンに掛かる費用の見積を提示する際に、見積提示装置１１０を使用する。販売業者は、ガスタービンに掛かる費用の見積の申し込みに必要な情報として、少なくとも、所望のガスタービンの種類を示す情報と、リース対象部品のリース契約を締結するための情報とを、ガスタービンの購入を検討している客から入手して、それらの情報を、入力装置１３０を介して見積提示装置１１０に入力する。リース対象部品のリース契約を締結するための情報には、少なくとも、所望のリース期間を示す指標の情報が含まれる。販売業者は、例えば、所望のリース期間を示す指標の情報として、所望のリース期間を等価運転時間（ＥＯＨ）によって示す情報を客から入手して、その情報を、入力装置１３０を介して見積提示装置１１０に入力する。また、リース対象部品のリース契約を締結するための情報には、複数種類のリース対象部品のうち、リース料金の見積を希望するリース対象部品を指定する情報が含まれていてもよい。
【００６０】
図６は、ガスタービンを販売する際に、ガスタービンに掛かる費用の見積の申し込みに必要な情報を入力するための表示画面Ｓ１の一例を示す図である。表示画面Ｓ１には、チェックボックスＣ１〜Ｃ７、テキストボックスＴ１及びボタンＢ１が含まれる。ここで、チェックボックスＣ１〜Ｃ７とは、ＧＵＩ（Ｇｒａｐｈｉｃａｌ  Ｕｓｅｒ  Ｉｎｔｅｒｆａｃｅ）の操作画面でウィンドウ内に現れる小さな正方形で、チェック記号を入れたり外したりすることにより「はい」「いいえ」の意思表示をするのに使うユーザインターフェースである。また、テキストボックスＴ１とは、ＧＵＩの操作画面でウィンドウ内に現れる、文字情報の入力領域のユーザインターフェースである。また、ボタンＢ１とは、ＧＵＩの操作画面でウィンドウ内に現れる、現実世界のスイッチと同様に押すことで、一回のクリック毎に定められた何らかのアクションを起動するユーザインターフェースである。
【００６１】
チェックボックスＣ１、Ｃ２は、所望のガスタービンの種類を選択するためのユーザインターフェースである。例えば、この例においては、チェックボックスＣ１が、所望のガスタービンの種類として、ガスタービンＡを選択するためのユーザインターフェースである。チェックボックスＣ３〜Ｃ７は、リース料金の見積を希望するリース対象部品を指定するためのユーザインターフェースである。例えば、この例においては、チェックボックスＣ３が、リース料金の見積を希望するリース対象部品として、静翼を選択するためのユーザインターフェースである。テキストボックスＴ１は、所望のリース期間を等価運転時間（ＥＯＨ）によって入力するためのユーザインターフェースである。ボタンＢ１は、入力すべき情報を確定させるためのボタンである。
【００６２】
例えば、見積提示装置１１０は、出力装置１５０としてのディスプレイに、表示画面Ｓ１を画面表示させる。販売業者は、所望のガスタービンの種類を示す情報を入力するにあたり、例えば、入力装置１３０を操作して、チェックボックスＣ１又はチェックボックスＣ２にチェックを入れる。また、販売業者は、リース料金の見積を希望するリース対象部品を指定するにあたり、例えば、入力装置１３０を操作して、チェックボックスＣ３〜Ｃ７にチェックを入れる。また、販売業者は、入力装置１３０を操作して、所望のリース期間を示す等価運転時間（ＥＯＨ）をテキストボックスＴ１に入力する。そして、販売業者は、入力装置１３０を介して、ボタンＢ１を押下して、入力すべき情報を確定させる。
【００６３】
このような操作が成されると、見積提示装置１１０の見積申込データ入力受付部１１１は、ガスタービンに掛かる費用の見積の申し込みに必要な情報を示すデータＡの入力を受け付ける（ステップＳ１０１）。そして、見積申込データ入力受付部１１１は、データＡに含まれる情報のうち、所望のガスタービンの種類と、リース料金の見積を希望するリース対象部品の情報とを示すデータＢを、リース対象部品特定部１１２へ送る。また、見積提示装置１１０は、入力を受け付けたデータに含まれる情報のうち、所望のリース期間を示す等価運転時間（ＥＯＨ）の情報を示すデータＣを、リース料金見積部１１３へ送る。
【００６４】
見積提示装置１１０のリース対象部品特定部１１２は、見積申込データ入力受付部１１１からデータＢを受け取ると、ガスタービン情報格納部１１７に格納されている情報を参照して、リース対象部品を特定する（ステップＳ１０２）。例えば、この例の場合、リース対象部品特定部１１２は、ガスタービン情報格納部１１７に格納されている情報を参照して、データＢによって示される所望のガスタービンの種類に対応付けられている部品の種類の情報のうち、データＢによって示されるリース料金の見積を希望するリース対象部品に対応する種類の情報を特定する。また、例えば、リース料金の見積を希望するリース対象部品の情報がデータＢに含まれていない場合、リース対象部品特定部１１２は、ガスタービン情報格納部１１７に格納されている情報を参照して、データＢによって示される所望のガスタービンの種類に対応付けられている部品の種類の情報のうち、リース対象部品？（ＹＥＳ  ＯＲ  ＮＯ）の情報がＹＥＳとなっている部品の種類の情報を特定するようにしてもよい。そして、リース対象部品特定部１１２は、ガスタービン情報格納部１１７に格納されている情報を参照して、特定した部品の種類に対応付けられている部品ＩＤの情報を示すデータＤを、リース料金見積部１１３へ送る。同様に、リース対象部品特定部１１２は、特定した部品の種類に対応付けられている部品ＩＤの情報を示すデータＥを、販売価格見積部１１５へ送る。
【００６５】
見積提示装置１１０のリース料金見積部１１３は、見積申込データ入力受付部１１１からデータＣを受け取り、リース対象部品特定部１１２からデータＤを受け取ると、部品情報格納部１１８に格納されている情報を参照して、リース対象部品のリース料金を見積もる（ステップＳ１０３）。例えば、この例の場合、リース料金見積部１１３は、部品情報格納部１１８に格納されている情報を参照して、データＤによって示される部品ＩＤの情報に対応付けられている単価（円）及び設計寿命時間（ＥＯＨ）の情報を読み出す。そして、リース料金見積部１１３は、部品情報格納部１１８から読み出した単価（円）及び設計寿命時間（ＥＯＨ）の情報と、データＣによって示される所望のリース期間を示す等価運転時間（ＥＯＨ）の情報とに基づいて、リース対象部品のリース料金を見積もる。例えば、リース料金見積部１１３は、式（１）のような関数を用いて、リース対象部品のリース料金Ｌを見積もる。式（１）の関数において、Ｌは、リース対象部品のリース料金である。また、Ｒは、リース対象部品の単価（円）である。また、Ｍは、リース対象部品のメンテナンス料金（円）である。また、Ｔ１は、リース対象部品の設計寿命時間（ＥＯＨ）である。また、Ｔ２は、所望のリース期間を示す等価運転時間（ＥＯＨ）である。
【００６６】
【数１】
2015185052.tif 000003
【００６７】
また、例えば、リース対象部品の単価（円）と、設計寿命時間（ＥＯＨ）と、所望のリース期間を示す等価運転時間（ＥＯＨ）と、リース料金（円）とが対応付けられて格納されたテーブルが予め用意されていれば、リース料金見積部１１３は、このようなテーブルを参照することによって、リース料金（円）を見積もるようにしてもよい。また、例えば、複数のリース対象部品がある場合、リース料金見積部１１３は、各リース対象部品のリース料金を、それぞれ見積もる。そして、リース料金見積部１１３は、見積もったリース対象部品のリース料金を示すデータＦを、見積提示部１１６へ送る。
【００６８】
一方、見積提示装置１１０の販売価格見積部１１５は、リース対象部品特定部１１２から送られたデータＥを受け取ると、部品情報格納部１１８に格納されている情報を参照して、リース対象部品について、そのリース対象部品をリース契約せずに販売する場合の販売価格を見積もる（ステップＳ１０４）。例えば、販売価格見積部１１５は、部品情報格納部１１８に格納されている情報を参照して、データＥによって示される部品ＩＤの情報に対応付けられている単価（円）及びメンテナンス料金（円）の情報を読み出す。そして、販売価格見積部１１５は、例えば、部品情報格納部１１８から読み出した単価（円）の情報によって示されるリース対象部品の単価に、部品情報格納部１１８から読み出したメンテナンス料金（円）の情報によって示されるリース対象部品のメンテナンス料金を加算した価格を、販売価格とする。また、販売価格見積部１１５は、リース対象部品以外の部品の販売価格を更に見積もるようにしてもよい。そして、販売価格見積部１１５は、見積もった販売価格（円）を示すデータＧを、見積提示部１１６へ送る。
【００６９】
見積提示装置１１０の見積提示部１１６は、リース料金見積部１１３からデータＦを受け取り、販売価格見積部１１５からデータＧを受け取ると、リース料金見積部１１３が見積もったリース料金を含む、ガスタービンに掛かる費用の見積を提示するデータＨを生成して、出力装置１５０へ出力する（ステップＳ１０５）。例えば、見積提示部１１６は、リース料金の見積が希望されたリース対象部品について、データＦによって示されるリース料金の見積を提示する。また、例えば、見積提示部１１６は、リース料金の見積が希望されたリース対象部品について、データＦによって示されるリース料金の見積の他に、データＧによって示される販売価格（円）を併せて提示するようにしてもよい。また、いずれの場合にも、見積提示部は、リース料金の見積が希望されたリース対象部品以外の他の部品について、データＧによって示される販売価格（円）を提示するようにしてもよいし、提示しないようにしてもよい。
【００７０】
このようにして、ガスタービンの購入を検討している客は、出力装置１４０にて提示される情報を参照して、ガスタービンの部品のうち、定期的にメンテナンスを必要とする部品をリース対象部品としてリース契約するか否かを判断することができる。
【００７１】
図７は、見積提示装置１１０の動作フローの他の例を示す図である。この動作フローの説明においては、図１から図６を共に参照して、販売したガスタービンの部品のうち、リース対象部品のリース契約が更新される場合に、リース対象部品の更新後のリース料金を見積もり、そのリース料金を含む、ガスタービンに掛かる費用の見積を提示する処理について詳述する。
【００７２】
例えば、ガスタービンの販売業者は、販売したガスタービンの部品のうち、リース対象部品のリース契約が更新される場合に、リース対象部品の更新後のリース料金を含む、ガスタービンに掛かる費用の見積を提示する際に、見積提示装置１１０を使用する。販売業者は、ガスタービンに掛かる費用の見積の申し込みに必要な情報として、少なくとも、リース対象部品のリース契約を更新する客を特定し得る情報と、更新後の所望のリース期間を示す指標の情報とを、入力装置１３０を介して見積提示装置１１０に入力する。
【００７３】
図８は、リース対象部品のリース契約を更新する際に、ガスタービンに掛かる費用の見積の申し込みに必要な情報を入力するための表示画面Ｓ２の一例を示す図である。表示画面Ｓ２には、テキストボックスＴ２、Ｔ３及びボタンＢ２が含まれる。
【００７４】
テキストボックスＴ２は、契約者ＩＤを入力するためのユーザインターフェースである。テキストボックスＴ３は、リース契約の更新後の所望のリース期間を等価運転時間（ＥＯＨ）によって入力するためのユーザインターフェースである。ボタンＢ２は、入力すべき情報を確定させるためのボタンである。
【００７５】
例えば、見積提示装置１１０は、出力装置１５０としてのディスプレイに、表示画面Ｓ２を画面表示させる。販売業者は、入力装置１３０を操作して、リース対象部品のリース契約を更新する客の契約者ＩＤをテキストボックスＴ２に入力する。また、販売業者は、入力装置１３０を操作して、リース契約の更新後の所望のリース期間を示す等価運転時間（ＥＯＨ）をテキストボックスＴ３に入力する。そして、販売業者は、入力装置１３０を介して、ボタンＢ２を押下して、入力すべき情報を確定させる。
【００７６】
このような操作が成されると、見積提示装置１１０の見積申込データ入力受付部１１１は、ガスタービンに掛かる費用の見積の申し込みに必要な情報を示すデータＡの入力を受け付ける（ステップＳ２０１）。そして、見積申込データ入力受付部１１１は、データＡに含まれる情報のうち、契約者ＩＤの情報と、リース契約の更新後の所望のリース期間を示す等価運転時間（ＥＯＨ）の情報とを示すデータＣを、リース料金見積部１１３へ送る。また、そして、見積申込データ入力受付部１１１は、データＡに含まれる情報のうち、契約者ＩＤの情報を示すデータＩを、値下げ額算出部１１４へ送る。
【００７７】
見積提示装置１１０の値下げ額算出部１１４は、見積申込データ入力受付部１１１からデータＩを受け取ると、リース契約情報格納部１１９に格納されている情報を参照して、データＩによって示される契約者ＩＤの情報に対応付けられている交換済み？（ＹＥＳ  ｏｒ  ＮＯ）の情報を読み出して、その契約者ＩＤによって識別される契約者がリース契約している旧部品のそれぞれについて、リース期間中に旧部品を交換済みであるか否かを判定する（ステップＳ２０２）。ここで、リース期間中に旧部品を交換済みでないということは、前回のリース契約において、そのリース対象部品の設計寿命時間（ＥＯＨ）よりもリース期間が短いリース契約が締結されていたことを意味している。一方、リース期間中に旧部品を交換済みであるということは、前回のリース契約において、そのリース対象部品の設計寿命時間（ＥＯＨ）よりもリース期間が長いリース契約が締結されていたことを意味している。
【００７８】
ステップＳ２０２にてリース期間中に旧部品を交換済みでないと判定した場合（ステップＳ２０２；ＮＯ）、値下げ額算出部１１４は、そのリース対象部品の更新後のリース料金に対する値下げ額を算出しない。
【００７９】
一方、ステップＳ２０２にてリース期間中に旧部品を交換済みであると判定した場合（ステップＳ２０２；ＹＥＳ）、値下げ額算出部１１４は、部品情報格納部１１８に格納されている情報と、リース契約情報格納部１１９に格納されている情報とを参照して、旧部品の単価が新部品の単価と同額であるか否かを判定する（ステップＳ２０３）。ここで、旧部品の単価が新部品の単価と同額ではないということは、旧部品の単価の方が高ければ、前回のリース期間中において、そのリース対象部品の交換後の期間について、適正なリース料金よりも高い料金が支払われている可能性があり、新部品の単価の方が高ければ、前回のリース期間中において、そのリース対象部品の交換後の期間について、適正なリース料金よりも安い料金が支払われている可能性がある。したがって、旧部品の単価が新部品の単価と同額ではない場合には、そのリース対象部品の更新後のリース料金にて調整し、更新前のリース料金と更新後のリース料金とのトータルの料金が適正な料金となるように調整する必要がある。以下の処理は、そのような趣旨のために実行される処理である。
【００８０】
ステップＳ２０３にて旧部品の単価が新部品の単価と同額であると判定した場合（ステップＳ２０３；ＹＥＳ）、値下げ額算出部１１４は、そのリース対象部品の更新後のリース料金に対する値下げ額を算出しない。
【００８１】
一方、ステップＳ２０３にて旧部品の単価が新部品の単価と同額ではないと判定した場合（ステップＳ２０３；ＮＯ）、値下げ額算出部１１４は、リース契約情報格納部１１９に格納されている情報を参照して、リース対象部品の更新後のリース料金に対する値下げ額を算出する（ステップＳ２０４）。例えば、値下げ額算出部１１４は、式（２）のような関数を用いて、値下げ額を算出する。式（２）の関数において、Ｐは、値下げ額である。Ｌは、旧部品のリース料金（円）である。また、Ｒは、旧部品の単価（円）である。また、Ｍは、旧部品のメンテナンス料金（円）である。また、Ｔ１は、旧部品の設計寿命時間（ＥＯＨ）である。また、Ｔ３は、旧部品の使用時間（ＥＯＨ）を示す情報である。式（２）は、更新前のリース料金から、旧部品の使用時間（ＥＯＨ）に見合った適正なリース料金を差し引いていることになる。
【００８２】
【数２】
2015185052.tif 000004
【００８３】
また、例えば、旧部品のリース料金（円）と、旧部品の単価（円）と、旧部品のメンテナンス料金（円）と、旧部品の設計寿命時間（ＥＯＨ）と、旧部品の使用時間（ＥＯＨ）と、値下げ額（円）とが対応付けられて格納されたテーブルが予め用意されていれば、値下げ額算出部１１４は、このようなテーブルを参照することによって、値下げ額（円）を算出するようにしてもよい。また、例えば、更新前のリース期間中に異なる単価の新部品い交換された複数のリース対象部品がある場合、値下げ額算出部１１４は、各リース対象部品の更新後のリース料金に対する値下げ額を、それぞれ算出する。そして、値下げ額算出部１１４は、算出した値下げ額と、値下げ額を算出した対象のリース対象部品を識別する部品ＩＤとを示すデータＪを、リース料金見積部１１３へ送る。また、値下げ額算出部１１４は、値下げ額を算出しなかった場合、値下げ額が０（円）であることを示すデータＪを、リース料金見積部１１３へ送る。
【００８４】
見積提示装置１１０のリース料金見積部１１３は、見積申込データ入力受付部１１１からデータＣを受け取り、値下げ額算出部１１４からデータＪを受け取ると、部品情報格納部１１８に格納されている情報と、リース契約情報格納部１１９に格納されている情報とを参照して、リース対象部品の更新後のリース料金を見積もる（ステップＳ２０５）。例えば、この例の場合、リース料金見積部１１３は、部品情報格納部１１８に格納されている情報を参照して、データＪによって示される部品ＩＤに対応付けられている、単価（円）の情報と、メンテナンス料金（円）の情報と、設計寿命時間（ＥＯＨ）の情報とを読み出す。また、リース料金見積部１１３は、リース契約情報格納部１１９に格納されている情報を参照して、データＣによって示される契約者ＩＤと、データＪによって示される部品ＩＤとに対応付けられている、リース期間（ＥＯＨ）の情報と、旧部品の使用時間（ＥＯＨ）の情報とを読み出す。そして、リース料金見積部１１３は、部品情報格納部１１８から読み出した単価（円）、メンテナンス料金（円）及び設計寿命時間（ＥＯＨ）の情報と、リース契約情報格納部１１９から読み出したリース期間（ＥＯＨ）及び旧部品の使用時間（ＥＯＨ）の情報と、データＣによって示される更新後の所望のリース期間を示す等価運転時間（ＥＯＨ）の情報とに基づいて、リース対象部品の更新後のリース料金を見積もる。例えば、リース料金見積部１１３は、式（３）のような関数を用いて、リース対象部品の更新後のリース料金を見積もる。式（３）の関数において、Ｌは、リース対象部品の更新後のリース料金（円）である。また、Ｒは、新部品の単価（円）である。また、Ｍは、新部品のメンテナンス料金（円）である。また、Ｔ１は、リース対象部品の交換時における新部品の設計寿命時間（ＥＯＨ）である。また、Ｔ４は、更新前に契約されていたリース期間（ＥＯＨ）である。また、Ｔ３は、更新前のリース契約期間内における旧部品の使用時間（ＥＯＨ）である。また、Ｔ２は、更新後の所望のリース期間（ＥＯＨ）である。また、Ｐは、値下げ額（円）である。ここで、Ｔ４−Ｔ３は、更新前のリース期間中における新部品の使用時間（ＥＯＨ）を意味している。したがって、式（３）は、新部品に交換されてから、更新後の所望のリース期間（ＥＯＨ）が終了するまでの期間（ＥＯＨ）に対応するリース料金と、更新前のリース料金とのトータルの料金から、旧部品の使用時間（ＥＯＨ）に見合った支払い済みの適正なリース料金を差し引いていることになる。
【００８５】
【数３】
2015185052.tif 000005
【００８６】
また、例えば、新部品の単価（円）と、新部品のメンテナンス料金（円）と、リース対象部品の交換時における新部品の設計寿命時間（ＥＯＨ）と、更新前に契約されていたリース期間（ＥＯＨ）と、更新前のリース契約期間内における旧部品の使用時間（ＥＯＨ）と、更新後の所望のリース期間（ＥＯＨ）と、値下げ額（円）と、リース対象部品の更新後のリース料金（円）とが対応付けられて格納されたテーブルが予め用意されていれば、リース料金見積部１１３は、このようなテーブルを参照することによって、リース対象部品の更新後のリース料金（円）を見積もるようにしてもよい。また、例えば、リース契約されている複数のリース対象部品がある場合、リース料金見積部１１３は、各リース対象部品の更新後のリース料金を、それぞれ見積もる。そして、リース料金見積部１１３は、見積もったリース対象部品の更新後のリース料金を示すデータＦを、見積提示部１１６へ送る。
【００８７】
見積提示装置１１０の見積提示部１１６は、リース料金見積部１１３からデータＦを受け取ると、リース料金見積部１１３が見積もった更新後のリース料金を含む、ガスタービンに掛かる費用の見積を提示するデータを生成して、出力装置１５０へ出力する（ステップＳ２０６）。
【００８８】
このようにして、リース対象部品のリース契約更新を検討している客は、出力装置１４０にて提示される情報を参照して、リース契約を更新するか否かを判断することができる。
【００８９】
以上、説明したように、見積提示装置１１０は、ガスタービンの部品のうち、定期的にメンテナンスを必要とする部品をリース対象部品として、所望のリース期間貸し出すリース契約が締結される場合に、リース対象部品のリース料金を見積もる。そして、見積提示装置１１０は、見積もったリース料金を含む、ガスタービンに掛かる費用の見積を提示する。
【００９０】
このような構成によっては、ガスタービンを販売するにあたり、その部品が寿命に達した場合に、純正部品と交換することに購入者がメリットを感じることができるような新たなビジネスモデルを実現することができる。
【００９１】
また、見積提示装置１１０は、少なくとも、リース対象部品の単価と、リース対象部品の余寿命期間を示す指標と、所望のリース期間を示す指標とに基づいて、リース対象部品のリース料金を見積もる。
【００９２】
このような構成によっては、所望のリース期間に応じた適正なリース料金を見積もることができる。
【００９３】
また、見積提示装置１１０は、所望のリース期間がリース対象部品の余寿命期間よりも長いリース契約が締結されて、そのリース期間中に寿命を迎えたそのリース対象部品が同じ価格の新しいリース対象部品に交換されて、そのリース期間が終了する際にそのリース契約が更新される場合、少なくとも、交換後のリース対象部品の単価と、そのリース契約の更新時における交換後のリース対象部品の余寿命期間を示す指標と、更新後の所望のリース期間を示す指標とに基づいて、更新後のリース料金を見積もる。
【００９４】
このような構成によっては、リース期間中に寿命を迎えたリース対象部品が新たな部品に交換されていたとしても、リース契約の更新後の所望のリース期間に応じた適正なリース料金を見積もることができる。
【００９５】
また、見積提示装置１１０は、所望のリース期間がリース対象部品の余寿命期間よりも長いリース契約が締結されて、そのリース期間中に寿命を迎えたそのリース対象部品が異なる価格の新しいリース対象部品に交換されて、そのリース期間が終了する際にそのリース契約が更新される場合に、交換前のリース対象部品の単価と、更新前のリース期間中における交換前のリース対象部品の運転期間を示す指標と、更新前のリース料金とに基づいて、更新後のリース料金に対する値下げ額を算出する。そして、見積提示装置１１０は、少なくとも、交換後のリース対象部品の単価と、リース対象部品の交換時における交換後のリース対象部品の余寿命期間を示す指標と、更新後の所望のリース期間を示す指標と、更新前のリース期間中における交換後のリース対象部品の運転期間を示す指標と、値下げ額とに基づいて、更新後のリース料金を見積もる。
【００９６】
このような構成によっては、リース期間中に寿命を迎えたリース対象部品が新たな部品に交換されていて、そのリース対象部品の単価が変わっていたとしても、リース契約の更新後の所望のリース期間に応じた適正なリース料金を見積もることができる。
【００９７】
また、見積提示装置１１０は、ガスタービンの部品のうち、リース対象部品について、そのリース対象部品をリース契約せずに販売する場合の販売価格を見積もる。そして、見積提示装置１１０は、見積もったリース料金を含む、ガスタービンに掛かる費用の第１の見積と、見積もった販売価格を含む、ガスタービンに掛かる費用の第２の見積とを併せて提示する。
【００９８】
このような構成によっては、ガスタービンを販売するにあたり、ガスタービンの部品のうち、定期的にメンテナンスを必要とする部品を、購入するか、リース契約するかの判断の一助となるような見積を提供することができる。
【００９９】
図９は、本実施形態に係る見積提示装置１１０を構成するコンピュータ８００のハードウェア構成の一例を示す図である。本実施形態に係るコンピュータ８００は、ホストコントローラ８０１により相互に接続されるＣＰＵ（Ｃｅｎｔｒａｌ  Ｐｒｏｃｅｓｓｉｎｇ  Ｕｎｉｔ）８０２、ＲＡＭ（Ｒａｎｄｏｍ  Ａｃｃｅｓｓ  Ｍｅｍｏｒｙ）８０３、グラフィックコントローラ８０４及びディスプレイ８０５を有するＣＰＵ周辺部と、入出力コントローラ８０６により相互に接続される通信インターフェース８０７、ハードディスクドライブ８０８及びＣＤ−ＲＯＭ（Ｃｏｍｐａｃｔ  Ｄｉｓｋ  Ｒｅａｄ  Ｏｎｌｙ  Ｍｅｍｏｒｙ）ドライブ８０９を有する入出力部と、入出力コントローラ８０６に接続されるＲＯＭ（Ｒｅａｄ  Ｏｎｌｙ  Ｍｅｍｏｒｙ）８１０、フレキシブルディスクドライブ８１１及び入出力チップ８１２を有するレガシー入出力部とを備える。
【０１００】
ホストコントローラ８０１は、ＲＡＭ８０３と、高い転送レートでＲＡＭ８０３をアクセスするＣＰＵ８０２及びグラフィックコントローラ８０４とを接続する。ＣＰＵ８０２は、ＲＯＭ８１０及びＲＡＭ８０３に格納されたプログラムに基づいて動作し、各部の制御を行う。グラフィックコントローラ８０４は、ＣＰＵ８０２等がＲＡＭ８０３内に設けたフレームバッファ上に生成する画像データを取得し、ディスプレイ８０５上に表示させる。これに代えて、グラフィックコントローラ８０４は、ＣＰＵ８０２等が生成する画像データを格納するフレームバッファを、内部に含んでもよい。
【０１０１】
入出力コントローラ８０６は、ホストコントローラ８０１と、比較的高速な入出力装置である通信インターフェース８０７、ハードディスクドライブ８０８及びＣＤ−ＲＯＭドライブ８０９を接続する。ハードディスクドライブ８０８は、コンピュータ８００内のＣＰＵ８０２が使用するプログラム及びデータを格納する。ＣＤ−ＲＯＭドライブ８０９は、ＣＤ−ＲＯＭ８９２からプログラム又はデータを読み取り、ＲＡＭ８０３を介してハードディスクドライブ８０８に提供する。
【０１０２】
また、入出力コントローラ８０６には、ＲＯＭ８１０と、フレキシブルディスクドライブ８１１及び入出力チップ８１２の比較的低速な入出力装置とが接続される。ＲＯＭ８１０は、コンピュータ８００が起動時に実行するブートプログラム、及び／又はコンピュータ８００のハードウェアに依存するプログラム等を格納する。フレキシブルディスクドライブ８１１は、フレキシブルディスク８９３からプログラム又はデータを読み取り、ＲＡＭ８０３を介してハードディスクドライブ８０８に提供する。入出力チップ８１２は、フレキシブルディスクドライブ８１１を入出力コントローラ８０６へと接続すると共に、例えばパラレルポート、シリアルポート、キーボードポート、マウスポート等を介して各種の入出力装置を入出力コントローラ８０６へと接続する。
【０１０３】
ＲＡＭ８０３を介してハードディスクドライブ８０８に提供されるプログラムは、フレキシブルディスク８９３、ＣＤ−ＲＯＭ８９２又はＩＣ（Ｉｎｔｅｇｒａｔｅｄ  Ｃｉｒｃｕｉｔ）カード等の記録媒体に格納されて利用者によって提供される。プログラムは、記録媒体から読み出され、ＲＡＭ８０３を介してコンピュータ８００内のハードディスクドライブ８０８にインストールされ、ＣＰＵ８０２において実行される。
【０１０４】
コンピュータ８００にインストールされ、コンピュータ８００を見積提示装置１１０として機能させるプログラムは、コンピュータ８００を、ガスタービンの部品のうち、定期的にメンテナンスを必要とする部品をリース対象部品として、所望のリース期間貸し出すリース契約が締結される場合に、ステップＳ１０４において、リース対象部品のリース料金を見積もるリース料金見積部１１３と、リース料金見積部１１３が見積もったリース料金を含む、ガスタービンに掛かる費用の見積を、ステップＳ１０４において提示する見積提示部１１６として機能させる。
【０１０５】
更に、当該プログラムは、コンピュータ８００を、少なくとも、リース対象部品の単価と、リース対象部品の余寿命期間を示す指標と、所望のリース期間を示す指標とに基づいて、リース対象部品のリース料金を見積もるリース料金見積部１１３として機能させてもよい。
【０１０６】
更に、当該プログラムは、所望のリース期間がリース対象部品の余寿命期間よりも長いリース契約が締結されて、そのリース期間中に寿命を迎えたそのリース対象部品が同じ価格の新しいリース対象部品に交換されて、そのリース期間が終了する際にそのリース契約が更新される場合、ステップＳ２０５において、少なくとも、交換後のリース対象部品の単価と、そのリース契約の更新時における交換後のリース対象部品の余寿命期間を示す指標と、更新後の所望のリース期間を示す指標とに基づいて、更新後のリース料金を見積もるリース料金見積部１１３として機能させてもよい。
【０１０７】
更に、当該プログラムは、所望のリース期間がリース対象部品の余寿命期間よりも長いリース契約が締結されて、そのリース期間中に寿命を迎えたそのリース対象部品が異なる価格の新しいリース対象部品に交換されて、そのリース期間が終了する際にそのリース契約が更新される場合に、ステップＳ２０４において、交換前のリース対象部品の単価と、更新前のリース期間中における交換前のリース対象部品の運転期間を示す指標と、更新前のリース料金とに基づいて、更新後のリース料金に対する値下げ額を算出する値下げ額算出部１１４と、少なくとも、交換後のリース対象部品の単価と、リース対象部品の交換時における交換後のリース対象部品の余寿命期間を示す指標と、更新後の所望のリース期間を示す指標と、更新前のリース期間中における交換後のリース対象部品の運転期間を示す指標と、値下げ額算出部が算出した値下げ額とに基づいて、ステップＳ２０５において、更新後のリース料金を見積もるリース料金見積部１１３として機能させてもよい。
【０１０８】
更に、当該プログラムは、ステップＳ１０４において、ガスタービンの部品のうち、リース対象部品について、そのリース対象部品をリース契約せずに販売する場合の販売価格を見積もる販売価格見積部１１５と、リース料金見積部が見積もったリース料金を含む、ガスタービンに掛かる費用の第１の見積と、販売価格見積部が見積もった販売価格を含む、ガスタービンに掛かる費用の第２の見積とを併せて、ステップＳ１０５において提示する見積提示部１１６として機能させてもよい。
【０１０９】
これらのプログラムに記述された情報処理は、コンピュータ８００に読み込まれることにより、ソフトウェアと上述した各種のハードウェア資源とが協働した具体的手段である見積申込データ入力受付部１１１、リース対象部品特定部１１２、リース料金見積部１１３、値下げ額算出部１１４、販売価格見積部１１５、見積提示部１１６、ガスタービン情報格納部１１７、部品情報格納部１１８及びリース契約情報格納部１１９として機能する。そして、これらの具体的手段によって、本実施形態におけるコンピュータ８００の使用目的に応じた情報の演算又は加工を実現することにより、使用目的に応じた特有の見積提示装置１１０が構築される。
【０１１０】
一例として、コンピュータ８００と外部の装置等との間で通信を行う場合には、ＣＰＵ８０２は、ＲＡＭ８０３上にロードされた通信プログラムを実行し、通信プログラムに記述された処理内容に基づいて、通信インターフェース８０７に対して通信処理を指示する。通信インターフェース８０７は、ＣＰＵ８０２の制御を受けて、ＲＡＭ８０３、ハードディスクドライブ８０８、フレキシブルディスク８９３又はＣＤ−ＲＯＭ８９２等の記憶装置上に設けた送信バッファ領域等に記憶された送信データを読み出してネットワークへと送信し、もしくは、ネットワークから受信した受信データを記憶装置上に設けた受信バッファ領域等へと書き込む。このように、通信インターフェース８０７は、ダイレクトメモリアクセス方式により記憶装置との間で送受信データを転送してもよく、これに代えて、ＣＰＵ８０２が転送元の記憶装置又は通信インターフェース８０７からデータを読み出し、転送先の通信インターフェース８０７又は記憶装置へとデータを書き込むことにより送受信データを転送してもよい。
【０１１１】
また、ＣＰＵ８０２は、ハードディスクドライブ８０８、ＣＤ−ＲＯＭ８９２、フレキシブルディスク８９３等の外部記憶装置に格納されたファイル又はデータベース等の中から、全部又は必要な部分をダイレクトメモリアクセス転送等によりＲＡＭ８０３へと読み込ませ、ＲＡＭ８０３上のデータに対して各種の処理を行う。そして、ＣＰＵ８０２は、処理を終えたデータを、ダイレクトメモリアクセス転送等により外部記憶装置へと書き戻す。
【０１１２】
このような処理において、ＲＡＭ８０３は、外部記憶装置の内容を一時的に保持するものとみなせるから、本実施形態においてはＲＡＭ８０３及び外部記憶装置等をメモリ、記憶部又は記憶装置等と総称する。本実施形態における各種のプログラム、データ、テーブル、データベース等の各種の情報は、このような記憶装置上に格納されて、情報処理の対象となる。なお、ＣＰＵ８０２は、ＲＡＭ８０３の一部をキャッシュメモリに保持し、キャッシュメモリ上で読み書きを行うこともできる。このような形態においても、キャッシュメモリはＲＡＭ８０３の機能の一部を担うから、本実施形態においては、区別して示す場合を除き、キャッシュメモリもＲＡＭ８０３、メモリ及び／又は記憶装置に含まれるものとする。
【０１１３】
また、ＣＰＵ８０２は、ＲＡＭ８０３から読み出したデータに対して、プログラムの命令列により指定された、本実施形態中に記載した各種の演算、情報の加工、条件判断、情報の検索、置換等を含む各種の処理を行い、ＲＡＭ８０３へと書き戻す。例えば、ＣＰＵ８０２は、条件判断を行う場合においては、本実施形態において示した各種の変数が、他の変数又は定数と比較して、大きい、小さい、以上、以下又は等しい等の条件を満たすかどうかを判断し、条件が成立した場合、又は不成立であった場合に、異なる命令列へと分岐し、又はサブルーチンを呼び出す。
【０１１４】
また、ＣＰＵ８０２は、記憶装置内のファイル又はデータベース等に格納された情報を検索することができる。例えば、第１属性の属性値に対し第２属性の属性値がそれぞれ対応付けられた複数のエントリが記憶装置に格納されている場合において、ＣＰＵ８０２は、記憶装置に格納されている複数のエントリの中から第１属性の属性値が指定された条件と一致するエントリを検索し、そのエントリに格納されている第２属性の属性値を読み出すことにより、所定の条件を満たす第１属性に対応付けられた第２属性の属性値を得ることができる。
【０１１５】
以上に示したプログラム又はモジュールは、外部の記憶媒体に格納されてもよい。記憶媒体としては、フレキシブルディスク８９３、ＣＤ−ＲＯＭ８９２の他に、ＤＶＤ（Ｄｉｇｉｔａｌ  Ｖｅｒｓａｔｉｌｅ  Ｄｉｓｋ）又はＣＤ（Ｃｏｍｐａｃｔ  Ｄｉｓｋ）等の光学記録媒体、ＭＯ（Ｍａｇｎｅｔｏ−Ｏｐｔｉｃａｌ  ｄｉｓｋ）等の光磁気記録媒体、テープ媒体、ＩＣカード等の半導体メモリ等を用いることができる。また、専用通信ネットワーク又はインターネットに接続されたサーバシステムに設けたハードディスク又はＲＡＭ等の記憶媒体を記録媒体として使用して、ネットワークを介してプログラムをコンピュータ８００に提供してもよい。
【０１１６】
以上、本発明を実施の形態を用いて説明したが、本発明の技術的範囲は、上記実施の形態に記載の範囲には限定されない。上記実施の形態に、多様な変更又は改良を加えることが可能であることが当業者に明らかである。そのような変更又は改良を加えた形態も本発明の技術的範囲に含まれ得ることが、特許請求の範囲の記載から明らかである。
【０１１７】
特許請求の範囲、明細書及び図面中において示したシステム、方法、装置、プログラム及び記録媒体における動作、手順、ステップ及び段階等の各処理の実行順序は、特段「より前に」、「先立って」等と明示しておらず、また、前の処理の出力を後の処理で用いるのでない限り、任意の順序で実現し得ることに留意すべきである。特許請求の範囲、明細書及び図面中の動作フローに関して、便宜上「まず、」、「次に、」等を用いて説明したとしても、この順で実施することが必須であることを意味するものではない。
【符号の説明】
【０１１８】
１１０  見積提示装置
１１１  見積申込データ入力受付部
１１２  リース対象部品特定部
１１３  リース料金見積部
１１４  値下げ額算出部
１１５  販売価格見積部
１１６  見積提示部
１１７  ガスタービン情報格納部
１１８  部品情報格納部
１１９  リース契約情報格納部
１３０  入力装置
１５０  出力装置
８００  コンピュータ
８０１  ホストコントローラ
８０２  ＣＰＵ
８０３  ＲＡＭ
８０４  グラフィックコントローラ
８０５  ディスプレイ
８０６  入出力コントローラ
８０７  通信インターフェース
８０８  ハードディスクドライブ
８０９  ＣＤ−ＲＯＭドライブ
８１０  ＲＯＭ
８１１  フレキシブルディスクドライブ
８１２  入出力チップ
８９２  ＣＤ−ＲＯＭ
８９３  フレキシブルディスク
【図１】
2015185052.tif 000006
【図２】
2015185052.tif 000007
【図３】
2015185052.tif 000008
【図４】
2015185052.tif 000009
【図５】
2015185052.tif 000010
【図６】
2015185052.tif 000011
【図７】
2015185052.tif 000012
【図８】
2015185052.tif 000013
【図９】
2015185052.tif 000014